(57)【要約】【課題】記録媒体に含まれるコンテンツデータをネットワーク上から利用できるようにするとともにコンテンツデータ及びコンテンツデータ記録媒体そのものを管理する。【解決手段】これまでにユーザが購入した音楽ＣＤ、ＤＶＤ等のパッケージメディア１０に含まれるコンテンツの情報及びこれを所有するユーザの情報等をネットワーク上の管理サーバ１３に登録することによって、パッケージメディアとして購入した動画像、音楽等のコンテンツをネットワーク上から利用できるようにする。このとき、パッケージメディアには、ネットワーク上に登録したことを示す情報を直接記録する。【選択図】  図１
2004334944.tif 000002
【特許請求の範囲】
【請求項１】
音楽データ及び映像データを含むコンテンツデータが記録されるとともに該コンテンツデータに関するコンテンツ情報がコンテンツデータを記録したコンテンツ記録領域とは別の領域に記録されたコンテンツデータ記録媒体と、
上記コンテンツデータ記録媒体に該コンテンツデータに関するコンテンツ情報及び該コンテンツデータ記録媒体の所有者の認証情報を含む管理情報を記録する情報記録手段と、上記コンテンツ情報及び上記管理情報を外部に送信する送信手段とを備える情報処理装置と、
上記送信手段からコンテンツ情報及び管理情報を受信する受信手段と、上記受信手段にて受信したコンテンツ情報及び管理情報を登録する管理情報登録手段と、上記コンテンツデータ記録媒体に含まれるコンテンツと同一コンテンツを蓄積したコンテンツデータ蓄積手段と、上記管理情報登録手段に登録された管理情報に対応するコンテンツデータを上記コンテンツデータ蓄積手段より抽出して外部に配信するコンテンツデータ配信制御手段とを備えるコンテンツ管理装置と、
上記管理情報登録手段に登録されたコンテンツ情報及び管理情報と同一の情報を上記コンテンツ管理装置に対して送信する登録情報送信手段と、上記コンテンツデータ送信制御手段より配信されたコンテンツデータを受信するコンテンツデータ受信手段とを備えるコンテンツ再生端末と
からなり、上記情報処理装置と上記コンテンツ管理装置と上記コンテンツ再生装置とがネットワークにより互いに接続されていることを特徴とするコンテンツデータ管理システム。
【請求項２】
上記送信手段によって送信されたコンテンツ情報及び管理情報が上記管理情報登録手段に登録されると、
上記情報記録手段は、上記コンテンツデータ記録媒体にコンテンツ情報及び管理情報が登録済みであることを示す登録済み情報を視認可能に記録することを特徴とする請求項１記載のコンテンツデータ管理システム。
【請求項３】
上記コンテンツデータ記録媒体は、音楽データ及び映像データを含むコンテンツデータが記録されるとともに該コンテンツデータに関するコンテンツ情報が書き込まれた無線タグを内蔵し、
上記情報処理装置は、上記無線タグに記録された上記コンテンツ情報を再生する、及び上記無線タグにデータ記録媒体の所有者の認証情報を含む管理情報を記録する無線タグ記録再生手段を備えることを特徴とする請求項１記載のコンテンツデータ管理システム。
【請求項４】
上記送信手段によって送信された管理情報及びコンテンツ情報が上記管理情報登録手段に登録されると、
上記無線タグ記録再生手段は、コンテンツ情報及び管理情報が上記管理情報登録手段に登録済みである旨を示す登録済み情報を上記無線タグに記録することを特徴とする請求項３記載のコンテンツデータ管理システム。
【請求項５】
上記コンテンツ管理装置は、上記情報処理装置に対して、所定期間毎に上記コンテンツデータ記録媒体のコンテンツ情報及び管理情報を要求し、上記情報処理装置から該コンテンツ情報及び管理情報が得られない場合、
上記コンテンツデータ配信制御手段は、上記登録情報送信手段からコンテンツ情報及び管理情報が送信されても上記コンテンツ再生端末に対する上記コンテンツデータの配信を許可しないことを特徴とする請求項１記載のコンテンツデータ管理システム。
【請求項６】
上記コンテンツデータ配信制御手段は、上記管理情報登録手段に管理情報及びコンテンツ情報が登録されてから所定期間の間のみ上記コンテンツ再生端末に対してコンテンツデータの配信を許可することを特徴とする請求項１記載のコンテンツデータ管理システム。
【請求項７】
上記管理情報登録手段において、管理情報に対してコンテンツ情報が重複して登録されている場合、
上記コンテンツデータ配信制御手段は、上記登録情報送信手段からコンテンツ情報及び管理情報が送信されても上記コンテンツ再生端末に対する上記コンテンツデータの配信を許可しないことを特徴とする請求項１記載のコンテンツデータ管理システム。
【請求項８】
情報処理装置とコンテンツ管理装置とコンテンツ再生装置とがネットワークにより互いに接続されてなるコンテンツデータ管理システムにおいて、音楽データ及び映像データを含むコンテンツデータ及び該コンテンツデータが記録されたコンテンツデータ記録媒体を管理するコンテンツデータ管理方法において、
上記情報処理装置にて、
音楽データ及び映像データを含むコンテンツデータが記録されるとともに該コンテンツデータに関するコンテンツ情報がコンテンツデータを記録したコンテンツ記録領域とは別の領域に記録されたコンテンツデータ記録媒体に対して該コンテンツデータ記録媒体の所有者の認証情報を含む管理情報を記録する情報記録工程と、上記コンテンツ情報及び上記管理情報をコンテンツ管理装置に送信する送信工程と、
上記コンテンツ管理装置において、
上記送信工程にて送信されたコンテンツ情報及び管理情報を受信する受信工程と、上記受信工程にて受信したコンテンツ情報及び管理情報を登録する管理情報登録工程と、上記管理情報登録工程にて登録された管理情報に対応するコンテンツデータを上記コンテンツデータ記録媒体に含まれるコンテンツと同一コンテンツを蓄積したコンテンツデータ蓄積手段より抽出して外部に配信するコンテンツデータ配信制御工程と、
上記コンテンツ再生端末において、
上記管理情報登録工程にて登録されたコンテンツ情報及び管理情報と同一の情報を上記コンテンツ管理装置に対して送信する登録情報送信工程と、上記コンテンツデータ送信制御工程において配信されたコンテンツデータを受信するコンテンツデータ受信工程と
を有することを特徴とするコンテンツデータ管理方法。
【請求項９】
上記送信工程にて送信されたコンテンツ情報及び管理情報が上記管理情報登録工程にて登録されると、
上記情報記録工程は、上記コンテンツデータ記録媒体にコンテンツ情報及び管理情報が登録済みであることを示す登録済み情報を視認可能に記録することを特徴とする請求項８記載のコンテンツデータ管理方法。
【請求項１０】
上記コンテンツデータ記録媒体には、音楽データ及び映像データを含むコンテンツデータが記録されるとともに該コンテンツデータに関するコンテンツ情報が書き込まれた無線タグが内蔵され、
上記無線タグに記録された上記コンテンツ情報を再生する、及び上記無線タグにデータ記録媒体の所有者の認証情報を含む管理情報を記録する無線タグ記録再生工程を有することを特徴とする請求項８記載のコンテンツデータ管理方法。
【請求項１１】
上記送信工程によって送信された管理情報及びコンテンツ情報が上記管理情報登録工程にて登録されると、
上記無線タグ記録再生工程は、コンテンツ情報及び管理情報が上記管理情報登録手段に登録済みである旨を示す登録済み情報を上記無線タグに記録することを特徴とする請求項１０記載のコンテンツデータ管理方法。
【請求項１２】
上記コンテンツ配信制御工程は、所定期間毎に上記コンテンツデータ記録媒体のコンテンツ情報及び管理情報を要求し、上記送信工程から該コンテンツ情報及び管理情報が得られない場合、
上記コンテンツデータ配信制御工程は、上記登録情報送信工程にてコンテンツ情報及び管理情報が送信されても上記コンテンツ再生端末に対する上記コンテンツデータの配信を許可しないことを特徴とする請求項８記載のコンテンツデータ管理方法。
【請求項１３】
上記コンテンツデータ配信制御工程は、上記管理情報登録工程にて管理情報及びコンテンツ情報が登録されてから所定期間の間のみ上記コンテンツ再生端末に対してコンテンツデータの配信を許可することを特徴とする請求項８記載のコンテンツデータ管理方法。
【請求項１４】
上記管理情報登録工程にて、管理情報に対してコンテンツ情報が重複して登録された場合、
上記コンテンツデータ配信制御工程は、上記登録情報送信工程からコンテンツ情報及び管理情報が送信されても上記コンテンツ再生端末に対する上記コンテンツデータの配信を許可しないことを特徴とする請求項８記載のコンテンツデータ管理方法。
【請求項１５】
音楽データ及び映像データを含むコンテンツデータが記録されるとともに、上記コンテンツデータに関するコンテンツ情報及び当該コンテンツデータ記録媒体の所有者の認証情報を含む管理情報がコンテンツデータを記録した領域とは別の領域に記録されることを特徴とするコンテンツデータ記録媒体。
【請求項１６】
当該コンテンツデータ記録媒体の所有者の認証情報を含む管理情報は、可視的に当該コンテンツデータ記録媒体に直接記録されることを特徴とする請求項１５記載のコンテンツデータ記録媒体。
【請求項１７】
上記コンテンツデータに関するコンテンツ情報が書き込まれた無線タグを備え、
上記無線タグにさらに当該コンテンツデータ記録媒体の所有者の認証情報を含む管理情報が記録されることを特徴とする請求項１５記載のコンテンツデータ記録媒体。
【発明の詳細な説明】
【０００１】
【発明の属する技術分野】
本発明は、コンテンツデータ管理システム及びコンテンツデータ管理方法、並びにコンテンツデータ記録媒体に関し、特に、記録媒体に格納されたコンテンツデータをネットワーク上で管理するコンテンツデータ管理システム及びコンテンツデータ管理方法、並びにこのシステムに用いて好適なコンテンツデータ記録媒体に関する。
【０００２】
【従来の技術】
近年、光ディスク等の大容量記録媒体の発展に伴って、動画像及び静止画像を含む映像データ、音楽データ、その他コンピュータデータ等が、「光磁気記録」、「相変化記録」及び「色素記録」等を含む光ディスク、具体的には「ＣＤ−Ｒ／ＲＷ」、「ＤＶＤ−ＲＡＭ」、「ＤＶＤ−Ｒ／ＲＷ」、「ＤＶＤ＋ＲＷ」、または各種光磁気記録媒体に格納されて提供されることが多くなっている。
【０００３】
また、いわゆるインターネットのような大規模ネットワークでは、伝送路の大容量化が進み、動画像データや音楽データ等の大容量データファイルが快適に送受信できる環境が整備されてきており、現在では、これらインターネット網の大容量化と相まって、従来パッケージメディアとして提供されていたデータ類がネットワークを介して直接送信できるようになってきている。
【０００４】
例えば、音楽データ（楽曲データ）の場合、音楽提供業者は、通常のパッケージメディアとしてのＣＤ（若しくはＤＶＤ）販売と平行して、そのアーティストのアルバムやアルバム中の曲の一部をインターネットのようなネットワークを用いて配信する形態（ネットワーク配信）をとっている場合がある。また、音楽のネットワーク配信を専門とする音楽配信業者もある。
【０００５】
楽曲をネットワークから購入する利点として、ネットワーク（インターネット）に接続できる環境にあれば、何時でも所望の楽曲をダウンロードによって入手できる点が挙げられる。ダウンロードにかかる課金形態は種々あるにせよ、こうしてダウンロードされた曲は、端末内やサーバに蓄積され、いつでも利用できるようになる。そのため、ネットワーク接続可能な端末があれば、「ＣＤは所有しているが、そのとき携帯していないために、その曲を聴くことができない」ということがない。しかし、音楽ＣＤを購入する際に料金を支払い、ネットワーク上にて利用するために、さらに料金を支払ってインターネットのサイトからこの曲をダウンロードして利用可能とする手続をとることは煩わしく、利用コストの面からみてもリーズナブルであるとは言い難い。
【０００６】
そこで、一旦パッケージメディアの状態で購入したコンテンツは、登録することでインターネット上にて使用できるようにした技術（例えば、特許文献１参照。）がある。
【０００７】
また、ミニディスク（ＭＤ）（登録商標）のように、携帯性に優れた記録媒体及び記録再生装置も普及しているため、ユーザは、音楽ＣＤを購入してもそのパッケージをそのまま利用する頻度は低く、大抵の場合、上述の記録再生装置等により所望のコンテンツを集めて独自のコンテンツ集を編集したりする。
【０００８】
【特許文献１】
特開２００２−２２２３４４号公報
【０００９】
【発明が解決しようとする課題】
ところが、ユーザが所有するオリジナル版コンテンツ（購入したＣＤ）と同一コンテンツをネットワーク上のある場所から入手できること、またオリジナル版コンテンツの複製が容易に行えるということは、同一コンテンツをネットワーク上のある場所から入手できる状態になった後又は複製の後に、オリジナル版コンテンツが再び流通（２次流通）する可能性を示唆しており、著作権保護の観点から好ましくない。
【００１０】
これに対して、著作権保護技術が適用された、いわゆるＣＣＣＤ（Ｃｏｐｙ  Ｃｏｎｔｒｏｌ  ＣＤ）のような記録媒体も提供されているものの、何れにしても他の媒体に複製できる技術は確立されており製品としても存在している。一般的に、個人向けの使用であればコンテンツの複製は許諾されているが、厳密には違法コピーと区別が付かないのが現実である。
【００１１】
そこで本発明は、このような従来の実情に鑑みて提案されたものであり、ユーザがコンテンツデータ記録媒体として購入したコンテンツデータをネットワークに登録してこれを管理することにより、コンテンツデータ記録媒体に含まれるコンテンツをネットワーク上から利用できるようにするとともに、コンテンツデータ及び該コンテンツデータ記録媒体そのものを管理し、オリジナルのコンテンツデータ記録媒体の不正使用を防止するコンテンツデータ管理システム及びコンテンツデータ管理方法、並びに記録されたコンテンツデータをネットワーク上から利用できるようにしても元の記録媒体を不正使用できないコンテンツデータ記録媒体を提供することを目的とする。
【００１２】
【課題を解決するための手段】
上述した目的を達成するために、本発明に係るコンテンツデータ管理システムは、情報処理装置とコンテンツ管理装置とコンテンツ再生装置とがネットワークにより互いに接続されてなり、音楽データ及び映像データを含むコンテンツデータ及び該コンテンツデータが記録されたコンテンツデータ記録媒体を管理するシステムであって、コンテンツデータ記録媒体は、音楽データ及び映像データを含むコンテンツデータが記録されるとともに該コンテンツデータに関するコンテンツ情報がコンテンツデータを記録したコンテンツ記録領域とは別の領域に記録されており、情報処理装置は、コンテンツデータ記録媒体に該コンテンツデータに関するコンテンツ情報及び該コンテンツデータ記録媒体の所有者の認証情報を含む管理情報を記録する情報記録手段と、コンテンツ情報及び管理情報を外部に送信する送信手段とを備えており、コンテンツ管理装置は、送信手段からコンテンツ情報及び管理情報を受信する受信手段と、受信手段にて受信したコンテンツ情報及び管理情報を登録する管理情報登録手段と、コンテンツデータ記録媒体に含まれるコンテンツと同一コンテンツを蓄積したコンテンツデータ蓄積手段と、管理情報登録手段に登録された管理情報に対応するコンテンツデータをコンテンツデータ蓄積手段より抽出して外部に配信するコンテンツデータ配信制御手段とを備えており、コンテンツ再生端末は、管理情報登録手段に登録されたコンテンツ情報及び管理情報と同一の情報をコンテンツ管理装置に対して送信する登録情報送信手段と、コンテンツデータ送信制御手段より配信されたコンテンツデータを受信するコンテンツデータ受信手段とを備えていることを特徴とする。
【００１３】
ここで、情報処理装置における送信手段によって送信されたコンテンツ情報及び管理情報がコンテンツ管理装置の管理情報登録手段に登録されると、情報記録手段は、コンテンツデータ記録媒体にコンテンツ情報及び管理情報が登録済みであることを示す登録済み情報を視認可能に記録する。
【００１４】
登録済み情報をコンテンツデータ記録媒体に記録する手法として、音楽データ及び映像データを含むコンテンツデータが記録されるとともに該コンテンツデータに関するコンテンツ情報が書き込まれた無線タグを内蔵するコンテンツデータ記録媒体を用いることが挙げられる。
【００１５】
この場合、情報処理装置には、無線タグに記録されたコンテンツ情報を再生する、及び無線タグにデータ記録媒体の所有者の認証情報を含む管理情報を記録する無線タグ記録再生手段を設け、送信手段によって送信された管理情報及びコンテンツ情報が管理情報登録手段に登録された場合、無線タグ記録再生手段によって、コンテンツ情報及び管理情報が管理情報登録手段に登録済みである旨を示す登録済み情報を無線タグに記録する。
【００１６】
また、コンテンツ管理装置は、情報処理装置に対して、所定期間毎にコンテンツデータ記録媒体のコンテンツ情報及び管理情報を要求し、情報処理装置から該コンテンツ情報及び管理情報が得られない場合、コンテンツデータ配信制御手段は、登録情報送信手段からコンテンツ情報及び管理情報が送信されてもコンテンツ再生端末に対するコンテンツデータの配信を許可しないようにする。また、管理情報登録手段において、管理情報に対してコンテンツ情報が重複して登録されている場合も、コンテンツデータ配信制御手段は、登録情報送信手段からコンテンツ情報及び管理情報が送信されてもコンテンツ再生端末に対するコンテンツデータの配信を許可しないようにする。
【００１７】
またここでは、コンテンツデータ配信制御手段は、管理情報登録手段に管理情報及びコンテンツ情報が登録されてから所定期間の間のみコンテンツ再生端末に対してコンテンツデータの配信を許可するようにしてもよい。
【００１８】
また、上述した目的を達成するために、本発明に係るコンテンツデータ管理方法は、情報処理装置にて、音楽データ及び映像データを含むコンテンツデータが記録されるとともに該コンテンツデータに関するコンテンツ情報がコンテンツデータを記録したコンテンツ記録領域とは別の領域に記録されたコンテンツデータ記録媒体に対して該コンテンツデータ記録媒体の所有者の認証情報を含む管理情報を記録する情報記録工程と、コンテンツ情報及び管理情報をコンテンツ管理装置に送信する送信工程と、コンテンツ管理装置において、送信工程にて送信されたコンテンツ情報及び管理情報を受信する受信工程と、受信工程にて受信したコンテンツ情報及び管理情報を登録する管理情報登録工程と、管理情報登録工程にて登録された管理情報に対応するコンテンツデータをコンテンツデータ記録媒体に含まれるコンテンツと同一コンテンツを蓄積したコンテンツデータ蓄積手段より抽出して外部に配信するコンテンツデータ配信制御工程と、コンテンツ再生端末において、管理情報登録工程にて登録されたコンテンツ情報及び管理情報と同一の情報をコンテンツ管理装置に対して送信する登録情報送信工程と、コンテンツデータ送信制御工程において配信されたコンテンツデータを受信するコンテンツデータ受信工程とを有することを特徴とする。
【００１９】
また、上述した目的を達成するために、本発明に係るコンテンツデータ記録媒体は、音楽データ及び映像データを含むコンテンツデータが記録されるとともに、コンテンツデータに関するコンテンツ情報及び当該コンテンツデータ記録媒体の所有者の認証情報を含む管理情報がコンテンツデータを記録した領域とは別の領域に記録されることを特徴とする。
【００２０】
ここで、当該コンテンツデータ記録媒体の所有者の認証情報を含む管理情報は、可視的に当該コンテンツデータ記録媒体に直接記録されてもよいし、コンテンツデータに関するコンテンツ情報が書き込まれた無線タグを設けて、この無線タグに当該コンテンツデータ記録媒体の所有者の認証情報を含む管理情報を記録されてもよい。
【００２１】
【発明の実施の形態】
以下、本発明の具体例について図面を参照して詳細に説明する。
【００２２】
本発明の具体例として図１に示すコンテンツデータ管理システム１は、ＣＤ、ＤＶＤのような映像及び音声データ、音楽データ等のコンテンツデータを記録した記録媒体（以下、パッケージメディアと記す場合もある。）１０を販売する販売店の登録用端末１１と、販売店にて販売されるパッケージメディア１０と同一コンテンツを記憶するコンテンツ蓄積サーバ１２と、パッケージメディア１０のコンテンツ情報及びこのパッケージメディア１０を購入した所有者の情報を管理する管理サーバ１３と、使用者（パッケージメディア１０の所有者）の情報処理端末１４と、車載用や携帯型の再生端末１５からなり、これらが、いわゆるインターネット１６にて互いに接続されている。
【００２３】
このコンテンツデータ管理システム１は、これまでにユーザが購入した音楽ＣＤ、ＤＶＤ等のパッケージメディア１０に含まれるコンテンツの情報及びこれを所有するユーザの情報等をネットワーク上の管理サーバ１３に登録することによって、パッケージメディアとして購入した動画像、音楽等のコンテンツをネットワーク上から利用できるようにしたシステムである。
【００２４】
コンテンツデータ管理システム１は、既存のパッケージメディアをネットワークを介して登録することもできるし、本システム専用のパッケージメディアを用いることもできる。
【００２５】
コンテンツが記録されたパッケージメディア１０がインターネット１６を介して管理サーバ１３に登録された際には、登録用端末１１にて登録されたパッケージメディアに対して「登録済み」である旨の情報が書き込まれる。ユーザは、インターネット１６に接続可能な携帯型電子機器、車載機器等の再生端末１５を用いてインターネット１６を介して管理サーバ１３にアクセスすれば、登録されたコンテンツデータを入手することができる。
【００２６】
このシステムにおける管理サーバ１３では、登録されたコンテンツの情報及び所有者の情報をユーザ端末に対して定期的に要求することによって、管理サーバ１３に登録済みのパッケージメディア１０の２次利用を防止している。
【００２７】
パッケージメディア１０は、動画像及び静止画像を含む映像データ、音楽データ、その他コンピュータデータ等が記録された光ディスク、具体的には「ＣＤ−ＲＯＭ」、「ＤＶＤ−ＲＯＭ」、または各種光磁気記録媒体に格納されて提供されるものを用いることができる。特に本具体例では、扱うコンテンツデータが音楽データであってパッケージメディアが音楽ＣＤである場合について説明する。
【００２８】
また、本システム専用に新たに提供されるパッケージメディア１０は、音楽データ及び映像データを含むコンテンツデータが記録されるとともに、コンテンツデータに関するコンテンツ情報がコンテンツデータを記録した記録領域とは別の領域に記録されている。また、その記録領域には、このパッケージメディアの所有者の認証情報を含む管理情報が追記録できるようになっている。
【００２９】
コンテンツ情報としては、パッケージデータの製造年月日、製造元、販売店情報、コンテンツを区別するためのコンテンツＩＤ等がある。また、所有者の認証情報としては、所有者名、所有者居所等がある。また、管理上必要となる上記以外のデータや付加的なサービスを提供するために必要な情報を追記録できる。
【００３０】
コンテンツ情報及び所有者の認証情報を記録する手法としては、いわゆるＲＦＩＤ（Ｒａｄｉｏ  Ｆｒｅｑｕｅｎｃｙ  Ｉｄｅｎｔｉｆｉｃａｔｉｏｎ）のような無線タグを使用する。ＲＦＩＤとは、非接触型の自動認識技術のことであり、例えばＩＣと小型アンテナが組み込まれたタグ等の媒体から電波等を介して情報を読み書きする。媒体となるタグ（付け札）は、ＲＦＩＤタグ、無線タグ、ＩＣタグ等と称され、カード状やラベル状、マイクロチップ状等、種々の形状がある。ＲＦＩＤには、バッテリ内包型とバッテリレス型とがあり、バッテリ内包型は電波発振が可能である。また、読み出し専用に用いられるもの、１回のみ書き込み可能なもの、複数回の書き込みが可能なもの等がある。使用周波数は、使用条件に合わせて、例えば、１２５〜１３５ＫＨｚの中波帯、１３．５６ＭＨｚの短波帯、２．４５ＧＨｚのマイクロ波帯を選択できる。ＲＦＩＤ識別技術は、ＲＦＩＤタグをあらゆる製品に埋め込んで製品情報を管理できる。
【００３１】
登録用端末１１は、図２に示すように、パッケージメディア１０のコンテンツデータに関するコンテンツ情報及び所有者の認証情報を入力する入力部１１１と、パッケージメディア１０に対して「登録済み」である旨を示す登録済み情報を記録する登録済み情報記録部１１２と、インターネット１６とのネットワークインターフェイス（ＩＦ）部１１３と、各部を統括制御する制御部１１４とを備えている。制御部１１４は、入力部１１１にて入力されたコンテンツ情報及び管理情報が管理サーバ１３に登録されると、管理サーバ１３から登録済みである信号を受け取り、パッケージメディア１０に対して「登録済み」である旨を示す登録済み情報を記録するよう登録済み情報記録部１１２を制御する。
【００３２】
パッケージメディアが従来品である場合、所有者の認証情報を含む管理情報は、登録済み情報記録部１１２においてこの媒体上に可視的に直接記録される。媒体表面の情報の読み取り及び書き込みに支障のない領域に、例えばカッティングレーザ等により直接記録される。また無線タグがこのメディア内に埋め込まれる場合もある。
【００３３】
また、本発明に適用されるパッケージメディアである場合、登録済み情報記録部１１２は、ＲＦＩＤリード部及びＲＦＩＤライト部になっている。ＲＦＩＤリード部は、ＲＦＩＤタグ（無線タグ）に記憶されているデータ（ＩＤデータ等）を読み取るためのものであり、ＲＦＩＤライト部は、ＲＦＩＤタグにデータを書き込むためのものである。ＲＦＩＤシステムの情報伝送方式には、電磁誘導方式、電磁結合方式、マイクロ波方式、静電結合方式、光方式等が挙げられるが、ＲＦＩＤリード部及びＲＦＩＤライト部としては、パッケージメディア１０に組み込まれるＲＦＩＤタグの方式に対応する情報読取手段を用いる。また複数の方式に対応させてもよい。
【００３４】
コンテンツ蓄積サーバ１２は、パッケージメディアとして販売されているコンテンツと同一コンテンツが蓄積されており、管理サーバからの要求に応じて指定されたコンテンツデータを配信する。このコンテンツ蓄積サーバ１２は、例えば、パッケージメディアを製造している製造者によって用意されたサーバ、若しくはネットワーク上にてコンテンツデータを蓄積する専門業者のサーバであり、後述する管理サーバ１３と一体化されていてもよい。なお、ここで、コンテンツ蓄積サーバ１２に記憶されるコンテンツは、市販されるコンテンツと同一コンテンツであっても、記録再生フォーマットが異なっていてもよい。例えば、ステレオＬＰＣＭフォーマット以外に、ＭＰ３（ＭＰＥＧ  Ａｕｄｉｏ  Ｌａｙｅｒ−３）、ＡＴＲＡＣ（登録商標）、ＷＭＡ等のフォーマットで蓄積され、このフォーマットで配信されてもよい。
【００３５】
管理サーバ１３は、図３に示すように、ネットワークと接続するためのネットワークインターフェイス（ＩＦ）部１３１と、コンテンツ情報及び所有者の認証情報を含む管理情報を記憶する管理情報蓄積部１３２と、インターネット１６を介して再生端末１５等から配信要求があった場合、管理情報に基づいてコンテンツ配信要求をコンテンツ蓄積サーバ１２に対して送る配信制御部１３３とを備えている。管理サーバ１３は、再生端末１５（ユーザ）の認証をとって、このシステムに登録されたユーザであれば、登録された情報に基づいて登録コンテンツデータを配信するよう制御している。
【００３６】
情報処理端末１４は、インターネットに接続可能な端末であって、この端末は、パッケージメディア１０に組み込まれたＲＦＩＤに対する読み取り及び書き込みを行うＲＦＩＤリーダライタを予め備えていてもよい。また、市販のＲＦＩＤリーダライタが接続できるようになっている。この場合、ＲＦＩＤに対する管理情報の書き込みがこの情報処理端末１４から可能になる。そのため、パッケージメディアから読み取ったコンテンツ情報及び所有者の認証情報を含む管理情報をインターネット１６を介して管理サーバ１３に送信することができる。このような情報処理端末としては、いわゆるパーソナルコンピュータ（ＰＣ）を用いることができる。また、このコンテンツデータ管理システム１に専用の端末として用意されてもよい。
【００３７】
続いて、このコンテンツデータ管理システム１へのコンテンツデータの登録のしかたについて説明する。
【００３８】
このコンテンツデータ管理システム１への登録は、基本的にパッケージメディアを販売する販売店の登録用端末１１にて行われる。パッケージメディアの所有者は、このパッケージメディアを購入したとき、或いは既に所有しているパッケージメディアを改めて販売店等に持参して登録することができる。この登録は、パッケージメディアの販売店以外にもコンビニエンスストア、その他の店舗、キオスク端末等で行うこともできる。
【００３９】
登録用端末１１の入力部１１１より、コンテンツ情報及び所有者名等の必要な管理情報が入力される。これにより、これまでにユーザが購入したパッケージメディア（音楽ＣＤ、ＭＤなど）がインターネット１６を介して管理サーバ１３に登録される。
【００４０】
このとき管理サーバ１３では、配信制御部１３３が管理情報蓄積部１３２に記憶された他のユーザにより登録された他の管理情報と入力された管理情報とを比べ、重複のないことを確認する。管理情報に対してコンテンツ情報が重複して登録されている場合、配信制御部１３３は、このコンテンツデータを配信しないように制御する。
【００４１】
登録用端末１１は、パッケージメディアのデータ記録領域以外の領域に登録済みである旨の情報を記録する。パッケージメディア１０が従来品である場合、メディア表面に直接印刷したり、レーザ等を用いて視認可能になるように直接記録する。こうして、このメディアが登録済みメディアであることが容易に認識できるようにする。また、パッケージメディア１０が本発明に係るメディアの場合、登録用端末１１は、ＲＦＩＤタグに対して所有者の認証情報及び登録済みである旨の情報を記録するとともに、これらの管理情報を管理サーバ１３へ送る。ＲＦＩＤタグを備えたパッケージメディアの場合、販売店等の登録用端末１１でなくとも、情報処理端末１４からインターネット１６を介して管理サーバ１３に管理情報を登録することもできる。
【００４２】
これにより、パッケージメディアがインターネット１６を介して使用できるようになる。
【００４３】
次に、このコンテンツデータ管理システム１に登録したコンテンツデータを利用する場合について説明する。
【００４４】
ユーザは、再生端末１６から管理サーバ１３に対して、認証情報或いはシステムを利用するためのＩＤ等を送信する。管理サーバ１３は、この認証情報と管理情報蓄積部１３２に記憶した情報とを比較して、登録されたユーザか否かを判別し、登録されたユーザであれば、再生端末１５からの配信要求を受け付けて、コンテンツ蓄積サーバ１２に配信要求を出す。
【００４５】
これにより、ユーザは、再生端末１５によって、パッケージメディア１０に格納されたコンテンツであって管理サーバ１３に登録されたコンテンツデータをネットワークを介して配信を受けることができる。
【００４６】
このコンテンツデータ管理システム１では、管理サーバ１３は、登録済みのパッケージメディアがユーザによって所有されているかどうかを定期的に確認するようになっている。すなわち、管理サーバ１３は、再生端末１５から配信要求を受けたとき等に定期的にパッケージメディアの確認要求通知を出す。管理サーバ１３は、登録時にパッケージメディアに記録された管理情報の一部が再生端末１５若しくは情報処理装置１４から再送されたとき、ユーザがパッケージメディアを所有していることを確認する。
【００４７】
管理サーバ１３は、情報処理端末１４若しくは再生端末１５からコンテンツ情報及び管理情報が得られない場合、すなわちユーザが登録したパッケージメディアを所有していないことがわかれば、再生端末１５からの配信要求に対して、コンテンツデータの配信を行わない。
【００４８】
パッケージメディアのコンテンツ情報や所有者の認証情報の確認を要求する以外にも、管理サーバ１３は、管理情報が登録されてから所定期間のみ再生端末１５に対してコンテンツデータの配信を許可するようにしてもよい。したがって、ユーザは、継続した配信サービスを受けたい場合には、コンテンツデータの配信可能期間が終了する前にパッケージメディアのコンテンツ情報及び所有者の情報を再度登録する必要がある。
【００４９】
したがって、以上説明したように、ＣＤ、ＭＤ等の既存メディアで音楽を楽しむ場合、購入メディア又はダビングにより作成したメディア（ＭＤ、ＣＦ／ＭＳ／ＳＤなどに代表される半導体メモリやＨＤＤなど）を常に音楽プレイヤとともに所持する必要があるが、コンテンツデータ管理システム１では、パッケージメディア１０に格納されたコンテンツデータをコンテンツ情報及び所有者の認証情報とともに管理サーバ１３に登録することによって、インターネットに接続可能な電子機器（再生端末１５）があれば、システムに登録されたコンテンツデータを、たとえパッケージメディア１０を携帯していなくともコンテンツ蓄積サーバ１２から配信を受けて再生端末１５にて視聴できる。
【００５０】
また、このとき、パッケージメディア１０には、無線タグや直接記録によって管理サーバ１３に登録された旨が記録されるため、また、管理サーバにも登録されているため、例えばこのパッケージメディアが別のユーザに渡るなどしても、同一のメディアを用いて、第三者により重複してこのシステムに登録することができない。また、別のユーザがこのパッケージメディアに含まれるコンテンツデータを登録しようとしたときに重複登録が判明すると、このコンテンツデータのネットワーク上における使用を許可しないことによって、２次流出を防止することができる。
【００５１】
また、上述したコンテンツデータ管理システム１によれば、登録にともなうコンテンツデータの配信のみならず、付加的なサービスを提供することもできる。付加サービスとして、ユーザがある音楽コンテンツを購入した購入情報が管理サーバ１３に残されていれば、例えば、５．１マルチチャンネルに対応したリマスタ版やリミックス版といった、この音楽コンテンツに関連するコンテンツが発売されたときに、このコンテンツを割引で購入できるようにすることが挙げられる。
【００５２】
なお、本発明は上述した実施の形態のみに限定されるものではなく、本発明の要旨を逸脱しない範囲において種々の変更が可能であることは勿論である。
【００５３】
例えば、本具体例では、パッケージメディアが音楽ＣＤであるとして説明したが、音楽データ、映像データに加えて、ゲームコンテンツ、文字データ等であってもよい。
【００５４】
【発明の効果】
以上詳細に説明したように、本発明に係るコンテンツデータ管理システムは、コンテンツ管理装置によって、ユーザが購入した音楽ＣＤ等のコンテンツデータ記録媒体をネットワーク上から登録してこれを管理することにより、コンテンツ再生端末を所有する使用者は、コンテンツデータ記録媒体に含まれるコンテンツをネットワーク上から利用できるようになる。これにより、ユーザは、音楽ＣＤ等として購入し所有しているコンテンツであれば、改めてネットワークからダウンロードしなくともネットワーク上にて利用できる。
【００５５】
本コンテンツデータ管理システムに登録されたコンテンツデータに関しては、これを記録した記録媒体に登録した旨の情報を直接記録することにより登録媒体の区別が付け易く、さらに、コンテンツ情報と管理情報とを所定期間毎に確認することによって、万が一重複登録されたコンテンツがあれば、これを配信できないようにするなどしてオリジナル版の不正使用を防止できる。
【００５６】
また、本発明に係るコンテンツデータ管理方法は、ユーザが購入した音楽ＣＤ等のコンテンツデータ記録媒体をネットワーク上から登録してこれを管理することにより、使用者は、コンテンツデータ記録媒体に含まれるコンテンツをネットワーク上から利用できるようになる。これにより、ユーザは、音楽ＣＤ等として購入し所有しているコンテンツであれば、改めてネットワークからダウンロードしなくともネットワーク上にて利用できる。
【００５７】
本コンテンツデータ管理方法によれば、登録されたコンテンツデータは、これを記録した記録媒体に登録した旨の情報を直接記録することにより登録媒体の区別が付け易く、さらに、コンテンツ情報と管理情報とを所定期間毎に確認することによって、万が一重複登録されたコンテンツがあれば、これを配信できないようにするなどしてオリジナル版の不正使用を防止できる。
【００５８】
また、本発明に係るコンテンツデータ記録媒体は、音楽データ及び映像データを含むコンテンツデータが記録されるとともに、コンテンツデータに関するコンテンツ情報及び当該コンテンツデータ記録媒体の所有者の認証情報を含む管理情報がコンテンツデータを記録した領域とは別の領域に記録されることにより、登録媒体の区別が付け易くなり、さらに、コンテンツ情報と管理情報とを所定期間毎に確認することによって、オリジナル版の不正使用を防止できる。
【図面の簡単な説明】
【図１】本発明の具体例として示すコンテンツデータ管理システムの構成を説明する図である。
【図２】上記コンテンツデータ管理システムにおける登録用端末を説明する構成図である。
【図３】上記コンテンツデータ管理システムにおける管理サーバを説明する構成図である。
【符号の説明】
１  コンテンツデータ管理システム１、１０  パッケージメディア、１１  登録用端末、１２  コンテンツ蓄積サーバ、１３  管理サーバ、１４  情報処理端末、１５  再生端末、１６  インターネット、１１１  入力部、１１２  登録済み情報記録部、１３２  管理情報蓄積部、１３３  配信制御部
【図１】
2004334944.tif 000003
【図２】
2004334944.tif 000004
【図３】
2004334944.tif 000005